(57)【要約】【課題】マットなどを搭載する家具を対象として、マット内およびこれの周辺部への細菌類の飛散およびマット内への細菌の侵入を防止することができる機能を備えたフィルタを提供する。【解決手段】空間内外を対象とした吸排気が可能な通気穴４に設けられるフィルタ６であって、  該フィルタ６は、空気を通過させて空気に含まれるバクテリアやウイルスなどの細菌類を減少あるいは殺菌可能な成分を含む繊維が用いられることを特徴とする。【選択図】      図３
2014128527.tif 000002
【特許請求の範囲】
【請求項１】
繊維集合体からなり、該繊維集合体の中を通過する空気の中から、空気中の細菌をろ過別する細菌除去部材。
【請求項２】
保持部材と、前記保持部材に保持された複数の多孔質体とを有し、空気が前記多孔質体の間を通過するさいに細菌を前記多孔質体が吸着する細菌除去部材。
【請求項３】
基体と、前記基体に担持された銀とを有し、空気が前記基体に接触するさいに空気中の細菌を殺菌する細菌除去部材。
【請求項４】
基体と、前記基体に担持されたヨウ素とを有し、空気が前記基体の間を通過するさいに空気中の細菌を殺菌する細菌除去部材。
【請求項５】
空気が流通する通気路に設けられ、内側に空気流路を有する本体と、前記空気流路に内に設けられ、請求項１〜４に記載の細菌除去部材を収容する収容部と、
前記空気流路内に設けられ、前記収納部と直列方向に設けられた逆止弁とを備え、逆止弁から前記収納部への空気の流通を遮断する構成となっている細菌除去装置。
【請求項６】
非通気性を有する袋体、前記袋体に覆われた内部充填材と、前記袋体に形成された通気孔とを有し、前記内部充填材は、外から圧力が加えられていない通常状態と、外から圧力が加えられて、前記通常状態よりも圧縮方向に変形した圧縮状態との間で変形を繰り返すことのできる材質からなるマットであって、
前記通気孔には、請求項１〜４の何れか１に記載の細菌除去部材が設けられているマット。
【請求項７】
着座面あるいは仰臥位面に請求項６記載のマットを用いることを特徴とする家具。
【発明の詳細な説明】
【技術分野】
【０００１】
本発明は、フィルタ、フィルタ付きマットおよびこれを用いる家具に係り、詳しくは、マット内での菌の繁殖や飛散を防止するフィルタ、フィルタ付きマットおよびこれを用いる家具に関するものである。
【背景技術】
【０００２】
椅子やベッドなどの家具には、着座面や、睡眠時に身体が載る仰臥位面にクッション性を持たせるためのマットを用いることが多い。
【０００３】
マットは、発泡材やゴムなどのように、体重を受けて変形する材料を用いて、身体に対する衝撃を緩和し、また、家具から身体に対する反力を均一化して座り心地や寝心地を良好にする構造を備えている。また、ベッドのように全体重を広い面積で受け止める家具の場合には、マット内にコイルスプリングなどを装填して、身体がマット上に載った際には、収縮変形することで、衝撃を緩和し、体重を受け止めるような構成となっているものもある。
【０００４】
上記のようなマットは、体重を受ける際には圧縮方向に変形する材料を用いるので、マット全体の体積は、収縮することとなり、マットから身体が降りると、体重による圧縮作用が除かれるので、発砲材やスプリングが元の形状に復帰し、圧縮されていたマットが膨らんで、元の体積に復帰する。
【０００５】
このマットの体積の収縮は、身体に対する衝撃を緩和する緩衝作用を発揮させるために、緩やかであることが好ましく、また、収縮状態からの復帰は、迅速であることが好ましい。一方、マット体積の収縮と復帰によって、マット内の空気が、マットの外側に排出され、さらに、内側に吸入されるといったことが繰り返される。このような、空気の吸排気は、マット内に溜まった湿気を排出することに寄与している。
【０００６】
このような、マットの内側と外側で空気を吸排気させるためには、マットの一部が外部と連通する必要がある。このため、マット自体の構成として、凹凸状のモノフィラメント構造を用い、その外表面を繊維製のカバーにより覆うことでマットの収縮・復帰時での吸排気性を持たせる構成が提案されている（例えば、特許文献１）。
【０００７】
また、マットの外表面を覆うカバーの一部に通気穴を設けてマットの収縮・復帰時での吸排気部とする場合もある。
【先行技術文献】
【特許文献】
【０００８】
【特許文献１】特開平１１-３０９０４７号
【発明の概要】
【発明が解決しようとする課題】
【０００９】
マット内では、マットカバーによって太陽光などか届きにくく、また、人体から発散される汗などによって湿気が存在する。さらに、マット内は、マットを使用する者の体温によって、体温に近い温度に保たれている状態にある。このため、マット内は、細菌やカビ菌の増殖を促す環境であることが多い。
【００１０】
このように繁殖した菌類が、マットの収縮の際に外に吐き出されると、マット内の菌が、マットの周囲に撒き散らかされるといった問題があった。特に、マットの収縮や復帰時の通気を良好とするために、通気孔を大きく形成した場合には、細菌の発散が助長されることとなる。
【００１１】
さらに、マットの形状復元時には外気とともに空中に浮遊する細菌類を、マット内に取り込むことにもなる。例えば、病院などのように、マットの周囲に細菌類が存在する可能性が高い場所では、マット内への細菌の吸い込みは抑制されなければならず、さらに、マット内からの細菌の飛散も防止されなければならない。
【００１２】
本発明の目的は、マット内への細菌の侵入、マット内からの細菌の飛び散りなどを抑制するフィルタ、フィルタ付きマットおよびこれを用いる家具を提供することにある。
【課題を解決するための手段】
【００１３】
この目的を達成するため、本発明は以下の構成を有する。
【００１４】
（１）繊維集合体からなり、該繊維集合体の中を通過する空気の中から、空気中の細菌をろ過別する細菌除去部材。
【００１５】
（２）保持部材と、前記保持部材に保持された複数の多孔質体とを有し、空気が前記多孔質体の間を通過するさいに細菌を前記多孔質体が吸着する細菌除去部材。
【００１６】
（３）基体と、前記基体に担持された銀とを有し、空気が前記基体に接触するさいに空気中の細菌を殺菌する細菌除去部材。
【００１７】
（４）基体と、前記基体に担持されたヨウ素とを有し、空気が前記基体の間を通過するさいに空気中の細菌を殺菌する細菌除去部材。
【００１８】
（５）空気が流通する通気路に設けられ、内側に空気流路を有する本体と、前記空気流路に内に設けられ、上記（１）〜（４）のいずれか１に記載の細菌除去部材を収容する収容部と、
前記空気流路内に設けられ、前記収納部と直列方向に設けられた逆止弁とを備え、逆止弁から前記収納部への空気の流通を遮断する構成となっている細菌除去装置。
【００１９】
（６）非通気性を有する袋体、前記袋体に覆われた内部充填材と、前記袋体に形成された通気孔とを有し、前記内部充填材は、外から圧力が加えられていない通常状態と、外から圧力が加えられて、前記通常状態よりも圧縮方向に変形した圧縮状態との間で変形を繰り返すことのできる材質からなるマットであって、
前記通気孔には、上記（１）〜（４）の何れか１に記載の細菌除去部材が設けられているマット。
【００２０】
（７）着座面あるいは仰臥位面に上記（６）記載のマットを用いることを特徴とする家具。
【発明の効果】
【００２１】
請求項１に記載の本発明によれば、繊維集合体を空気が通過する際に、細菌がろ過別され、空気中から細菌が除去される。
【００２２】
請求項２に記載の本発明によれば、空気が多孔質体の間を通過するさいに細菌を多孔質体が吸着することによって、空気中から細菌が除去される。
【００２３】
請求項３に記載の本発明によれば、空気が銀を担時する基体に接触するさいに細菌が殺菌されて空気中から除去される。
【００２４】
請求項４に記載の本発明によれば、空気がヨウ素を担時する基体の間を通過するさいに空気中の細菌が殺菌されて除去される。
【００２５】
請求項５に記載の本発明によれば、逆止弁を設けることによって、細菌除去部材を通過する空気の方向は一方向に限定されるので、マット内の空気の交換をより均一にできるので、マット内の細菌除去率を向上させることができる。
【００２６】
請求項６に記載の本発明によれば、外側から圧力が加わることによって、内部充填材が圧縮状態となり、通気孔から袋体内部の空気が外側に流出する。また、外側からの圧力が除かれることによって、内部充填材が通常状態に復帰し、圧縮状態から膨らむことで、外部の空気が袋体内に流通する。ここで、通気孔に設けられた細菌除去部材によって細菌が除去され、袋体内への細菌の流入が抑制される。また、袋体内部の細菌が袋体の外側に飛散することが抑制される。
【００２７】
請求項７に記載の発明によれば、着座面あるいは仰臥位面に設けられたマットにおいて、マット内で繁殖した細菌が、マット外側に飛散するこが抑制される。
【図面の簡単な説明】
【００２８】
【図１】本発明の実施形態にかかるマットが装着される家具の一つで椅子の外観図である。
【図２】本発明の実施形態にかかるマットが用いられる家具の他の一つであるベッドの外観図である。
【図３】図１に示した椅子用マットの外観図およびマットの通気部の構成を説明するための図である。
【図４】本発明の実施形態にかかるマットに用いられるフィルタの取り付け構造の第１例を説明するための拡大断面図である。
【図５】本発明の実施形態にかかるマットに用いられるフィルタの取り付け構造の第２例を説明するための拡大断面図である。
【図６】本発明の実施形態にかかるマットに用いられるフィルタの取り付け構造の第３例を説明するための拡大断面図である。
【図７】本発明の実施形態にかかるマットに用いられるフィルタの取り付け構造の第４例を説明するための拡大断面図である。
【図８】本発明の実施形態にかかるマットに用いられるフィルタの取り付け構造の第５例を説明するための拡大断面図である。
【図９】本発明の細菌除去装置の一例を示す側面断面図である。
【図１０】図９に示した細菌除去装置の部分斜視図である。
【図１１】図９に示した細菌除去装置の側面断面図である。
【図１２】本発明の細菌除去装置の他の例を示す分解側面断面図である。
【図１３】図１２の細菌除去装置の組立側面断面図である。
【図１４】図１２の細菌除去装置の組立側面断面図である。
【図１５】本発明の細菌除去装置が装着されたマッサージ装置の空気供給系の空気の流れの構成を示す模式図である。
【図１６】本発明の細菌除去装置が装着されたマッサージ装置の構成を示す側面断面図である。
【図１７】本発明の細菌除去装置が装着されたマッサージ装置の構成を示す側面断面図である。
【発明を実施するための形態】
【００２９】
以下、図面により本発明を実施するための形態について説明する。図１は、本発明の実施形態にかかるマット１が椅子２の着座面に置かれて用いられている状態を示す図であり、図２は、ベッド３の基台に載せられて仰臥位面として用いられている状態を示す図である。
【００３０】
図１に示す椅子２にマット１が用いられる場合には、椅子２のシートクッションを兼ねて着座面を構成できるようになっている。また、図２に示すベッド３にマット１が用いられる場合には、内部にコイルスプリング等の収縮変形可能な部材（内部充填材）が装填されているベッドパッドとして、あるいはベッドパッドの上面に載せることでベッドパッドの一部として用いることができるようになっている。
【００３１】
マット１は、用いられる対象により内部構造が異なり、図１に示した椅子２に用いられる場合には、内部にクッション材として用いられるポリウレタンフォームなどの緩衝材が織物などの外皮材により覆われている。また、図２に示したベッドパッドとして用いられる場合には、詳細を図示しないが、コイルスプリングや上述した緩衝材などを充填したパッド本体が敷布などの外皮材により覆われている。
【００３２】
マット１の側壁には、マット内外を連通するための通気穴４が設けられている。  通気穴４は、マット１内外の吸排気部として用いられる部分であり、単なる丸穴に限らず、マット１の圧縮方向に相当する厚さ方向に直角な方向、例えば、椅子２の場合にはシートクッション前側から背もたれに向かう方向、ベッド３の場合には背丈方向や胸幅方向に沿って長手方向を有する長穴として通気部面積を拡大することも可能である。通気部面積は、マット１の収縮変形や収縮時からの膨張変形時に必要な空気の流量を得やすくできる要因である。
【００３３】
図３に示されているように、通気穴４には、孔縁保護のために環状部材５が取り付けられており、環状部材５には、滅菌あるいは殺菌機能を有するフィルタ６が設けられている。細菌除去部材であるフィルタ６は、図示されているように環状部材５の端部開口部に設けられており、環状部材５を流通する空気は、このフィルタ６を通過する構成となっている。フィルタ６は、環状部材５に予め取り付けられていてもよく、或いは、後付けにより設けられてもよい。また、フィルタ６は、環状部材５の内側の空気通路に充填されていてもよい。
【００３４】
フィルタ６は、細菌の細胞膜を破壊可能な銀イオンを発生させる銀粒子を担時させた繊維集合体からなるメッシュ、あるいは細菌類を吸着して死滅させることが可能なヨウ素を担時させた繊維集合体からなるメッシュが用いられ、通気性と滅菌あるいは殺菌機能を持たせた部材である。ここで、繊維集合体とは、例えば不織布や織布などが挙げられる。繊維の材質は、スチールウール、フィラメントなどの金属製の他、植物繊維、樹脂製繊維などが挙げられる。
【００３５】
フィルタ６の他の構成として、銀やヨウ素を担時させない構成としてもよい。この場合には、メッシュ寸法が細菌類の通過を阻むことができる寸法とされ、細菌類よりも小さな隙間を有するものである。
【００３６】
また、メッシュ寸法は、前述した銀粒子を含ませたメッシュの場合でいうと、銀イオンの触媒作用によりバクテリアやウイルスと繊維とが非接触であっても殺菌作用が得られる通気空間を形成できる寸法に設定されている。
【００３７】
また、前述したヨウ素を含ませたメッシュの場合では、給排される空気との接触確率が高くなる通気空間を形成できる寸法を設定されている。
【００３８】
予め環状部材５にフィルタ６が設けられて用いられる場合には、図３（Ｂ）に示すように、環状部材５の厚さ方向両端面にそれぞれ接着などによって一体化されており、マット１の通気穴４に環状部材５を装着することでマット１にフィルタ６が取り付けられることになる。マットは、図１、図２に示されているように、単体で椅子等に取り付けられる場合の他、椅子やベッドに一体として構成されているものでもよい。この場合、通気孔４は、側面に限らず、椅子やベッドの底面に設けることができる。この場合、排気が直接人体に接触する可能性が極めて低くなるので、好ましい。
【００３９】
なお、この明細書では、「細菌類」という表現は、空気中に浮遊する細菌、バクテリア及びウイルスを含むものを意味する総称して使用する。
【００４０】
図４乃至図８は、フィルタ６を後付によりマット１の通気穴４に取り付ける場合の構成をそれぞれ示しており、以下にその構成を説明する。
【００４１】
図４乃至図８において符号７は、マット１の外皮材を示している。
【００４２】
図４に示す構成では、外皮材７に形成された通気穴４の内縁に嵌め込まれた環状部材（便宜上、符号５１で示す）に通気穴４の蓋（便宜上、符号６２で示す）が配置されている。
【００４３】
このような構成において、フィルタ（便宜上、符号６１で示す）が環状部材５１に対向する面を接着剤６０により貼り付けられることで既存の環状部材５１に対してフィルタ６１を後付により設けるようになっている。図示するフィルタ６１は、繊維をバインダで結合させて繊維集合体とされたフィルタであって、繊維の密度を高めることによって、所望のろ過機能を発揮するフィルタである。
【００４４】
この他、基体として用いられた繊維に、銀やヨウ素を担時させ、これをバインダによって結合させて繊維集合体したフィルタとしてもよい。このような殺菌作用を備えたフィルタを用いる場合には、フィルタの目を粗くできるので、フィルタを通過する空気の抵抗を軽減することができる。
【００４５】
図５に示す構成では、外皮材７に設けられている通気部の構成として、複数の小孔からなる通気穴（便宜上、符号７１で示す）が予め外皮材７に設けられており、図３あるいは図４に示した環状部材５あるいは５１を有していない場合を対象としている。
【００４６】
この構成においては、通気穴７１の設置領域周辺を対象として、フィルタ６１が接着剤６０により外皮材７の表面に貼り付けられることにより後付により設けられるようになっている。
【００４７】
図６に示す構成では、外皮材７に形成されている通気穴（便宜上、符号７２で示す）に、図３あるいは図４に示した環状部材５あるいは５１が設けられていない場合を対象としている。
【００４８】
このような構成においては、通気穴７２を覆う状態でフィルタ６１が通気穴周縁部において接着剤６０により外皮材７と接着されることにより後付により設けられるようになっている。
【００４９】
図７に示す構成では、図３あるいは図４に示した環状部材５あるいは５１に代えて、フィルタ６を通気穴７２の蓋部材として用いるようになっている。
【００５０】
この構成においてフィルタ６には、通気穴７２内に入り込む本体部６２とその周縁部に張り出した接着面部６３とが備えられており、接着面部６３を接着剤６０により外皮材７に接着することで一体化されて後付により設けられるようになっている。この構成例では、本体部６２が厚く構成されているので、本体部６２における細菌除去効果を一層高くすることができる。
【００５１】
図８に示す構成では、前述した環状部材５あるいは５１をグロメット５２に置き換えた場合を対象としている。
【００５２】
この構成においてグロメット５２には、フィルタ６の保持部５３と通気穴７２の周縁に張り出す取付面５４とが設けられ、保持部５３の外周部を通気穴７２の内面に圧入することでグロメット５２が固定保持されるようになっている。
【００５３】
グロメット５２には、図において縦方向で保持部５３と対向する位置にフィルタ（便宜上、符号６’で示す）の厚さ方向一方側と対向する鍔５３’が設けられている。
【００５４】
フィルタ６’は、グロメット５２の保持部５３とこれに対向する鍔５３’との間に装填されてグロメット５２の一部とされ、このグロメット５２を通気穴７２内に装着することで、後付により外皮材７と一体化される。
【００５５】
以上のような構成においては、フィルタ６，６’を通気穴４に装着される環状部材５に対して予め設けられる場合だけでなく、通気穴の形式に応じて後付けすることができる。このため、椅子２やベッド３のマットの仕様が、フィルタ設置されていない形式であっても、既存のマットに後付けして、菌を減少させる仕様に変更することが可能となる。
【００５６】
フィルタの他の構成としては、通気性を有する材質で構成されたシート材によって作られた袋体、或いは通気性を有する材質で構成された箱体内に、多孔質体を充填した構成としてもよい。この場合、フィルタ内を通過する空気は、多孔質体の間を通過する際に、多孔質体が細菌類を吸着することにより、細菌類の除去効果が発揮される。
【００５７】
多孔質体としては、例えば、活性炭やゼオライトなどが挙げられる。このような多孔質体は、例えば、上記繊維集合体の間に保持されて、全体としてフィルタを構成してもよい。この場合は、繊維集合体が保持部材として機能する。
【００５８】
また、フィルタ６、６’の構成としては、前述したようなメッシュ等の繊維集合体に限らず、スポンジ等の界面体などの通気空間を有する立体的な構成を有するものを用いることも可能である。
【００５９】
この場合の素材表面には、前述した銀粒子やヨウ素などの殺菌作用を有する材料が含まれることもちろんである。
【００６０】
次に、本発明の実施形態にかかる細菌除去装置の他の実施形態について説明する。
【００６１】
本実施形態では、通気穴を吸排気部とするのでなく、一方向に空気を流す逆止弁としての機能を備えたことを特徴としている。
【００６２】
つまり、複数形成されている通気穴の半分を吸気専用の吸気穴とし、残りの半分を排気専用の排気穴とすることにより、マット内の空気の外部との交換効率を向上させ、殺菌効果を向上させることが可能となる。以下、この構成について説明する。
【００６３】
図９は、一方向に空気を流す際に空気の滅菌および殺菌を行うために用いられる濾過部材５５の構成を示す図であり、同図において濾過部材５５は、外皮材７に形成されている通気穴４に装着されている。
【００６４】
濾過部材５５は、通気穴４の内部に装填されてマット１の厚さ方向（図９において縦方向）両側に外皮材７の表面に沿って張り出すフランジ部５５１、５５３を有する筒状周壁５５２を備えている。
【００６５】
筒状周壁５５２の内面には、マット１の厚さ方向両側に蓋体５５４が一体化されており、蓋体５５４には、図９，１０に示すように、マット１の内外を連通させる複数の小穴からなる貫通穴５５０が形成されている。
【００６６】
筒状周壁５５２と蓋体５５４とで構成される濾過部材５５の内部空間には、空気中のバクテリアやウイルスを殺菌あるいは捕捉する機能を有したフィルタ（便宜上、符号６４で示す）が配置されている。
【００６７】
フィルタ６４は、前述した例に挙げたように、銀粒子あるいはヨウ素を含む繊維を、空気が円滑に流れることができる隙間を持たせて織り込んだ不織布あるいは繊維そのものを散乱させた状態で挿入して構成されている。
【００６８】
特に、上述した隙間に関しては、フィルタ６４に接触しながら流れる空気の抵抗を小さくしてフィルタ６４に含まれる成分による細菌の捕捉作用あるいは殺菌作用を維持すると共に、マット１の収縮変形および収縮変形から膨張変形に転じる際の形状復元に必要な流れを上述した貫通穴５５０の面積により得られる隙間に設定されている。
【００６９】
これにより、コア状に形成されたフィルタの場合と違って、マット１の圧縮変形や膨張変形を妨げないようにして減菌や殺菌作用を良好に維持できるようになっている。
【００７０】
なお、フィルタ６４は、不織布などのように、１枚のシート状となっているものが用いられる場合には、複数枚を用いて重ねることにより、各シートでの繊維間の隙間を大きくしてフィルタ６４内を流れる空気の抵抗を軽減するようにしてもよい。
【００７１】
一方、濾過部材５５には、空気を一方向に流すための逆止弁をなす弁部材８が、マット１の厚さ方向いずれかの端部に設けられている。
【００７２】
弁部材８は、図１０に示すように、弾性あるいは可撓性を有する円盤状部材であり、周方向に沿った等分位置で、蓋体５５４に設けられている貫通穴５５０と重なり合わない位置に径方向の切り込み８３１〜８３３が設けられ、切り込み８３１〜８３３の間が、空気の圧力を受けて開閉可能な弁片８２１〜８２６を構成している。
【００７３】
弁片８２１〜８２６は、蓋体５５４と当接している状態から空気の圧力によって湾曲することで貫通穴５５０を開放してマット１の内部と外部とを連通させることができるようになっている。
【００７４】
つまり、図９において縦方向が相当するマット１の厚さ方向上側に弁部材８を設けた場合には、マット１の内側（図９における縦方向下側）から外側（図９において縦方向上側）に向けた空気の流れ（図９中、実線の矢印で示す方向の流れ）が生じると、空気の圧力を受けて弁片８２１〜８２６が上方に向け湾曲する。
【００７５】
また、図９において二点鎖線で示すように、マット１の厚さ方向下側に弁部材（便宜上、符号８Ａで示す）を設けた場合には、図１１において二点鎖線の矢印で示すように、マット１の外側から内側に向けた空気の流れが生じると、弁部材８Ａの弁片が下方に向け湾曲する。
【００７６】
なお弁部材８は、弾性或いは可撓性を有する部材でなく、フィルム材であってもよい。さらに、上記構成の他、弁部材８は、図８に示されているフィルタ６’の外側に弁部材８を設けて、外側から内側に向かう空気流を遮断し、フィルタ６’の内側に弁部材８を設けて、内側から外側に向かう空気流を遮断する構成としてもよい。
【００７７】
以上の構成においては、複数の通気穴の半分を吸気穴専用とし、また残りの半分を排気穴専用とすることにより、マット１の内外に流通する空気を各専用穴に集約させることができ、集約された空気とフィルタとの接触機会を増やして空気に含まれている細菌類の殺菌作用を得ることができる。
【００７８】
図１２乃至図１４は、他の逆止弁を有する細菌除去装置９を示す図である。外皮材７に形成された孔には環状部材５６が装着されており、該環状部材５６の内側に形成された筒状保持部５６１には、細菌除去装置９の本体９１が嵌め込まれている。環状部材５６は、筒状保持部５６１と、筒状保持部５６１の外周面において、外周方向に張り出すフランジ５６２とを有している。フランジ部５６２に外皮材７が重なって、該重なった部分において、環状部材５６が外皮材７に接着されて固定されている。
【００７９】
図１２は、細菌除去装置９の分解側面断面図である。筒状に形成された本体９１は筒状に形成されており、一端開口部には外側にフランジ９２１が、内周面には取り付け溝９１３が設けられている。
【００８０】
取り付け溝９１３には蓋部材９５の外周端９５１が嵌め込まれ、本体９１の内側空間に細菌除去部材９４を収納する収納空間９１０を画成する。また、蓋部材９５には、複数の通気孔９５２が形成されている。本体９１の開口部の反対側の端部に位置する底部には複数の通気孔９１１が形成されている。蓋部材９５は、本体９１に対して、着脱自在に構成されており、後述する収容部材９３を適宜取り出せる構成となっている。
【００８１】
収納空間９１０には、細菌除去部材９４と、該細菌除去部材９４を収容する収容部材９３が収納される。収容部材９３は、収容空間９１０の内周に嵌め込まれる大きさに形成された筒状の本体内に隔壁９３２を設けた構成となっており、隔壁には複数の通気孔９３３が形成されている。隔壁９３２は、本体内を細菌除去部材収容部９３１と、弁体収容部９３４とに区分している。細菌除去部材収容部９３１には、細菌除去部材９４が充填される。弁体収容部９３４には、弁体９３４が収容される。
【００８２】
弁体収容部９３４内において、隔壁９３２の中央部には、突起９３５が形成されている。この突起９３５は、弁体９３６の中央の取り付け孔９３７に相通され、その後先端部を押し潰すことにより、拡径して弁体９３６を固定する。
【００８３】
弁体９３６は、例えば、弾性材料で構成された板状の部材であり、外力によって変形し、外力が除かれると元の状態に復帰する材料で構成される。
【００８４】
この弁体９３６は、細菌除去部材収容部９３１側よりも弁体収容部９３４側の圧力が低くなると、通気孔９３３から流れ出る気体の流れによって変形し、通気可能となる。一方、細菌除去部材収容部９３１側よりも弁体収容部９３４側の圧力が高くなると、通気孔９３３に流れ込む気体の流れによって、隔壁９３２に抑えつけられ、通気不能となる。なお、弁体９３６の材質は、気体の流れによって、変形する通気性のない材料であればよく、弾性材でなくてもよい。
【００８５】
以上のように構成された細菌除去装置９において、蓋部材９５を外して収容部材９３を取り出し、収容部材９３の向きを変更して、再度装着することで、容易に気体の流通方向を変更することができる。図１３は、外皮材7の外側から内側への気体の流れを許可し、内側から外側への流れを止める構成を示す図であり、図１４は、外皮材7の内側から外側への気体の流れを許可し、外側から内側への流れを止める構成を示す図である。図１３において、外側から流入する空気は、通気孔９５２を通過して、細菌除去部材９４内を通過し、通気孔９３３を通過して、弁体９３６を押し開き、通気孔９１１を通って内側に流入する。内側の圧力が大きいときは、弁体９３６が通気孔９３３に押し付けられるので、空気は外側に流出することはできない。
【００８６】
図１４において、内側から流出する空気は、通気孔９１１を通過して、細菌除去部材９４内を通過し、通気孔９３３を通過して、弁体９３６を押し開き、通気孔９５２を通って外側に流出する。外側の圧力が大きいときは、弁体９３６が通気孔９３３に押し付けられるので、空気は内側に流入することはできない。いずれの場合にも、空気が細菌除去部材９４内を通過する際に、空気内の細菌は除去される。
【００８７】
以上のように構成された細菌除去装置９は、例えば、空気圧を利用してマッサージを行うマッサージ装置の吸排気口に取り付けられていてもよい。図１５は、空気供給系としての空気圧調整装置の構成を示す模式図であり、図１６および図１７は、足のマッサージを行うマッサージ装置の側面断面図である。マッサージ装置は、図１６、図１７に示されているように、足を収容するケースＭＭと、ケースＭＭ内に設けられ、送り込まれる気体によって適宜膨張と収縮を繰り返すバルーンＢ１〜Ｂ５と、各バルーンＢ１〜Ｂ５に空気を送り込む空気圧調整装置とを備えている。
【００８８】
図１６に示されているように、バルーンＢ１〜Ｂ４が収縮している状態で、ケースＭＭ内に足を挿入する。ここでバルーンＢ５は予め膨張した状態とされており、このバルーンＢ５にアキレス腱部分を接触させることで、ケースＭＭ内での足の位置が大まかに決められる。次に、各バルーンＢ１〜Ｂ４に空気を送り込み、バルーンＢ１〜Ｂ４を膨張させる。図１７に示されているように、各バルーンＢ１〜Ｂ４が膨張することで、足の各部位が圧迫されてマッサージ効果が発揮される。
【００８９】
バルーンＢ１に空気を送り込む空気圧調整装置を例に挙げて、その構成について説明する。空気圧調整装置は、ポンプＰ１とバルーンＢ１と、ポンプＰ１の吐出口とバルーンＢ１とをつなぐ流路ＣＨを有している。流路ＣＨには、安全弁ＳＶと、圧力センサＳｎ１と、排出用電磁弁ＥＶが接続されており、ポンプＰ１の吸入口には、細菌除去装置Ｆ１が装着される。細菌除去装置としては、既述の実施例の構成を用いることができる。ポンプＰ１を駆動させることにより、バルーンＢ１へ空気が送り込まれ、排出用電磁弁ＥＶを開放することにより、バルーンＢ１内の圧力を外気圧まで減圧することができる。バルーンＢ１内の圧力は、圧力センサＳｎ１によってモニターされ、所定の圧力にバルーンＢ１内の圧力が上昇すると、排出用電磁弁ＥＶが開放され、さらに、バルーンＢ１内の圧力が所定値まで下降すると、排出用電磁弁ＥＶが閉鎖され、ポンプＰ１を駆動してバルーンＢ１内の圧力を上昇させる。このような圧力の上昇と下降を繰り返すことにより、マッサージ効果が発揮される。
【００９０】
吸入口に細菌除去装置Ｆ１を設けることによって、バルーンＢ１内に流入する空気からは細菌が除去されるので、バルーン内での細菌の繁殖を抑制できる。また、細菌除去装置Ｆ１は、バルーン内の空気が排出される排出用電磁弁ＥＶの排出口側に設けられていてもよい。この場合には、バルーン内で繁殖した細菌の外部への排出を防止することができる。以上説明した空気圧調整装置の構成は、他のバルーンＢ２〜Ｂ５についての空気圧調整装置と同様である。
【００９１】
なお、上述した各構成に用いられるフィルタ６，６’は、細菌だけでなく、空気中に含まれている塵や埃を捕捉する場合もある。このため、メッシュや繊維間の目詰まりが起こる可能性がある。
【００９２】
そこで、本実施形態では、フィルタの実使用時間の経過を観察できるように、使用開始日を記入できるシートをマット１やベッド３の一部に設けておくことや、あるいは、塵や埃の堆積によって空気の流れが阻害された際にフィルタ表面に生じる圧力上昇により破れるシートなどをフィルタの一部に設けておくことにより、フィルタの交換時期を警報できるようにすることも可能である。
【符号の説明】
【００９３】
１  マット
２  椅子
３  ベッド
４  通気穴
５，５１  環状部材
６，６’，６４  フィルタ
７  外皮材
８  弁部材
【図１】
2014128527.tif 000003
【図２】
2014128527.tif 000004
【図３】
2014128527.tif 000005
【図４】
2014128527.tif 000006
【図５】
2014128527.tif 000007
【図６】
2014128527.tif 000008
【図７】
2014128527.tif 000009
【図８】
2014128527.tif 000010
【図９】
2014128527.tif 000011
【図１０】
2014128527.tif 000012
【図１１】
2014128527.tif 000013
【図１２】
2014128527.tif 000014
【図１３】
2014128527.tif 000015
【図１４】
2014128527.tif 000016
【図１５】
2014128527.tif 000017
【図１６】
2014128527.tif 000018
【図１７】
2014128527.tif 000019
【手続補正書】
【提出日】平成25年1月11日(2013.1.11)
【手続補正２】
【補正対象書類名】明細書
【補正対象項目名】００１２
【補正方法】変更
【補正の内容】
【００１２】
本発明の目的は、マット内への細菌の侵入、マット内からの細菌の飛び散りなどを抑制する細菌除去部材、該細菌除去部材を用いた細菌除去装置及びマット並びに該マットを用いた家具を提供することにある。